(57)【特許請求の範囲】
【請求項１】
別体の周辺装置と通信回線で接続され、前記周辺装置と情報の授受を行う携帯端末装置において、
当該携帯端末装置からの命令に従って通信処理がなされるデバイスＩ／Ｆを備えた前記別体の周辺装置と通信回線を介して接続され、該周辺装置との通信において主導権を有するホストＩ／Ｆと、
当該携帯端末装置に、電源を持たない周辺装置を接続したとき、当該携帯端末装置に外部電源により電力が供給されているか否かを検出する検出手段と、
前記外部電源により電力が供給されているとき、当該携帯端末装置に供給されている前記外部電源装置からの電力を、前記ホストＩ／Ｆを介して前記別体の周辺装置へ供給する電源供給手段とを有することを特徴とする携帯端末装置。
【請求項２】
前記通信回線は、ＵＳＢであることを特徴とする請求項１に記載の携帯端末装置。
【請求項３】
データ入力手段と、
前記データ入力手段からのデータと、前記周辺装置からのデータとを切り換えて出力する切替手段とを有することを特徴とする請求項１又は２に記載の携帯端末装置。
【請求項４】
前記周辺装置の接続の有無を検出する検出手段を有し、
該検出手段が、前記周辺装置が接続されていることを検出したとき、前記切替手段は、前記周辺装置からのデータを出力するように切り換えることを特徴とする請求項１ないし３いずれか一項に記載の携帯端末装置。
【請求項５】
前記検出手段が、前記周辺装置が接続されていないことを検出したとき、前記切替手段は、前記データ入力手段からのデータを出力するように切り換えることを特徴とする請求項４に記載の携帯端末装置。
【請求項６】
第１の筐体と、第２筐体とを折りたたみ可能な状態で連結する連結部と、
一方の筐体の内面に表示手段を有し、
前記連結部は、第１の筐体と、第２筐体とを複数の角度で固定するロック機構を有することを特徴とする請求項１ないし５いずれか一項に記載の携帯端末装置。
【発明の詳細な説明】
【技術分野】
【０００１】
本発明は、周辺装置と通信回線で接続され携帯端末装置である。
【背景技術】
【０００２】
最近の電子機器、特には小型の電子機器、例えば携帯電話機においては、その機能向上には目覚しいものがあり、便利な機能が搭載されている。しかしながら、携帯電話機は、ますます小型化されている。
【０００３】
また、小型で移動可能なモバイル型パソコンをホストに使用し、携帯型の情報通信機器との間で任意の情報を双方向で通信を可能とすると同時に、双方でデータを共有化する事が可能な情報通信システム（特許文献１参照。）、ＩＰアドレスとポート番号とを含むネットワークプロトコルリクエストを受信し、前記ネットワークプロトコルリクエストを処理し、前記ネットワークプロトコルリクエストに対してネットワークプロトコルレスポンスによって応答するウェブサーバ機能を組み込んだウェブサーバ組み込みビジネス機器（特許文献２参照。）が知られている
【特許文献１】特開２００３−１４３０５３号公報
【特許文献２】特開２００５−１９６５５９号公報
【発明の開示】
【発明が解決しようとする課題】
【０００４】
ところで、携帯電話機の小型化により、ＣＰＵの性能又は外部拡張性が犠牲にされ、追加された機能を十分に生かしていないという問題及びその制限された制約により、別の機能を搭載することができないという問題がある。
【０００５】
特に、携帯電話機における文字等の入力手段としては、本体に備えられたテンキー（数字キー等）を使用するのが一般的であるが、数の限られたキーで文字等を入力するには、キー入力の回数が多く必要であり、例えばＰＣ（パーソナルコンピュータ）等で使用するキーボードと比べると、その使い勝手が非常に悪いという問題がある。
【０００６】
そこで、本発明はそのような課題を解決することにより、より使いやすい携帯端末装置を提供することを目的とする。
【課題を解決するための手段】
【０００７】
上記目的を達成するために、本発明の携帯端末装置は、別体の周辺装置と通信回線で接続され、前記周辺装置と情報の授受を行う携帯端末装置において、
当該携帯端末装置からの命令に従って通信処理がなされるデバイスＩ／Ｆを備えた前記別体の周辺装置と通信回線を介して接続され、該周辺装置との通信において主導権を有するホストＩ／Ｆと、
当該携帯端末装置に、電源を持たない周辺装置を接続したとき、当該携帯端末装置に外部電源により電力が供給されているか否かを検出する検出手段と、
前記外部電源により電力が供給されているとき、当該携帯端末装置に供給されている前記外部電源装置からの電力を、前記ホストＩ／Ｆを介して前記別体の周辺装置へ供給する電源供給手段とを有するように構成することができる。
【０００８】
また、上記目的を達成するために、本発明の携帯端末装置において、前記通信回線は、ＵＳＢであるように構成することができる。
【０００９】
また、上記目的を達成するために、本発明の携帯端末装置は、データ入力手段と、前記データ入力手段からのデータと、前記周辺装置からのデータとを切り換えて出力する切替手段とを有するように構成することができる。
【００１０】
また、上記目的を達成するために、本発明の携帯端末装置は、前記周辺装置の接続の有無を検出する検出手段を有し、該検出手段が、前記周辺装置が接続されていることを検出したとき、前記切替手段は、前記周辺装置からのデータを出力するように切り換えるように構成することができる。
【００１１】
また、上記目的を達成するために、本発明の携帯端末装置は、前記検出手段が、前記周辺装置が接続されていないことを検出したとき、前記切替手段は、前記データ入力手段からのデータを出力するように切り換えるように構成することができる。
【００１２】
また、上記目的を達成するために、本発明の携帯端末装置は、第１の筐体と、第２筐体とを折りたたみ可能な状態で連結する連結部と、一方の筐体の内面に表示手段を有し、前記連結部は、第１の筐体と、第２筐体とを複数の角度で固定するロック機構を有するように構成することができる。
【発明の効果】
【００１７】
より使いやすい携帯端末装置を提供することができる。
【発明を実施するための最良の形態】
【００１８】
（ＴＶ受信機付き携帯電話装置のブロック図）
図１は、本発明の一実施例であるＴＶ受信機付き携帯電話装置のブロック図である。
ＣＰＵ（中央処理装置）１１は装置全体を制御するものであり、その実行プログラムはＲＯＭ（リード・オンリー・メモリ）１２に記憶され、ＣＰＵ１１はその実行プログラムをＲＯＭ１２から読み出し、その実行プログラムに含まれる命令を逐次解釈して装置全体の制御を行うものである。ＲＡＭ（ランダム・アクセス・メモリ）１３はその制御に必要なワークエリアが形成されるともに、保存パラメータやそのほか制御に必要ないろいろなパラメータや管理情報等を記憶するものである。操作入力・表示部１４は各種の操作キーと操作ガイダンス等を表示する表示器からなり、オペレータが装置を操作するためのものである。
通話部１５は、音声を出力するスピーカ１５３や音声を入力するマイク１５２や通話回路１５１から構成される。通話回路１５１は、マイク１５２等から入力された音声信号を通信手段１６に送出し、無線通信手段１６から入力された音声信号をスピーカ等に出力するものである。また、音声信号を増幅したり又は減衰することにより音量を調整したり、音声信号の周波数特性を変化させることにより音質を良くしたりする回路も含まれている。また、マイク１５２からスピーカ１５３への音の回り込みを制御するいわゆる側音制御もこの通話回路１５１で行う。
【００１９】
無線通信手段１６は通信網側との間で、音声信号とデータ信号を送受信する。携帯電話の場合は基地局との間で無線を使用して通信を行うが、有線で交換局と通信してもよい。
撮影手段（カメラ手段）１８は撮影対象物を画像データに変換するものであり、具体的には撮像素子であるＣＣＤ（Charge Coupled Device）等が使用される。ＣＣＤは撮影対象物からの光信号を受光し、それをアナログの電気信号に変換して出力するものである。画像処理回路１９はＣＣＤが出力するアナログ電気信号を受信し、それをＡ／Ｄ変換することによりデジタル画像信号を得る。さらに、そのデジタル画像信号に対して画像処理（密度変換、フィルタリング、最適化処理、拡大縮小、圧縮伸張等）を行う。画像処理された画像データは画像（フレーム）メモリ２０に記憶される。画像表示手段２１は画像処理回路１９によって画像処理された画像データを液晶画面等（プラズマディスプレイ、ＣＲＴ（Cathode-ray Tube）等）の画像表示手段で表示するものである。ＴＶ受信手段２２はＴＶ用アンテナ、検波部、チューナ部等から構成されるもので、ＴＶ放送用電波を受信し、ＴＶ画像信号を出力する。ＴＶ画像信号は画像処理回路１９に入力され、所定の画像処理を行った後、画像（フレーム）メモリ２０に蓄積され、その画像（フレーム）メモリ２０に蓄積された画像データは画像表示手段２１に出力され、ＴＶ画像が表示される。また、画像（フレーム）メモリ２０に蓄積された画像データはＴＶ画像録画手段２３で記憶媒体に保存することにより、ＴＶ画像を撮影手段１８で取得した画情報と同様に取り扱うことができる。
【００２０】
外部Ｉ／Ｆ手段２４は、ケーブルなどの有線を使用してＰＣ等の外部機器に接続して、データ等の送受信を行うものである。具体的には、装置専用のＩ／ＦやＵＳＢ（Universal Serial Bus）等の汎用のＩ／Ｆがある。メモリカードＩ／Ｆ手段２５は、ＩＣカード、メモリカード、メモリユニット等、記憶媒体を搭載した装置と接続して、データの送受信を行うものである。ＧＰＳ(全地球測位システム)手段２６は、一般には、人工衛星からの電波を受信し、その到達時間のずれを検出し、最終的に通信装置が位置する緯度と経度などの地球上の位置情報を算出するものである。ＩＣタグ手段２７はリーダライタ装置と無線でデータの送受信を行うものである。ＩＣタグ手段２７は、電波信号を送受信するためのアンテナ用コイル、共振コンデンサ、変復調回路、整流平滑回路からなる無線通信手段とＩＣタグに内蔵されたＣＰＵ、ＲＯＭ、ＲＡＭから構成される。ＩＣタグ手段２７は、リーダライタ手段２８から送信されてくる高周波の電力用電波信号をアンテナと共振用コンデンサで受信し、整流平滑回路で整流平滑化して、一定電圧の動作用電源を作成してＩＣタグ内部に供給する。また、リーダライタ手段２８から送信されてくる信号は、電力用電波信号に重畳されており、受信した信号は変復調回路によって復調される。ＩＣタグ手段２７のＣＰＵはＩＣタグ手段２７のＲＯＭに記憶されたプログラムによって動作するものであり、ＩＣタグ手段２７のＲＡＭ上に動作に必要なワークエリアを形成しながら、ＩＣタグ全体の動作の制御を行うものである。ＩＣタグは一度情報を書き込んだら二度と変更できないリードオンリーのものと、後から書き換えが可能なものや、追記のみ可能なもの（追記型）がある。また、ＩＣタグリーダライタ手段２８を内蔵してもよい。
【００２１】
無線Ｉ／Ｆ手段２９は、無線を使用してデータの送受信を行うものであり、無線ＵＳＢ、ブルートゥース、赤外線、無線ＬＡＮなどの通信を行う。この無線Ｉ／Ｆ手段２９及び／又は前述した外部Ｉ／Ｆ手段２４を使用して、例えば、ＰＣ（パーソナルコンピュータ）等が記憶している地図データ、音楽データ（楽曲データ）、その他の大容量のデータを、通信装置の記憶手段（例えば、画像（フレーム）メモリ２０、又は、画像（フレーム）メモリ２０とは別の画像メモリであってもよい。）に転送することにより記憶することができる。
【００２２】
また、言うまでもないが、図１の構成はすべて備えている必要はなく、必要な構成を最低限備えていればよいものである。
（オールＩＰ化された携帯電話機のブロック図）
図２はオールＩＰ（インターネットプロトコル）化された携帯電話機のブロック図である。図２の携帯電話機は、基地局用無線Ｉ／Ｆ手段３１、ＬＡＮ用無線Ｉ／Ｆ手段３２、ＩＰ手段３３、通話回路３４１、マイク３４２、スピーカ３４３、ＧＰＳ手段３５、操作入力・表示部３６、ＣＰＵ３７、ＲＯＭ３８及びＲＡＭ３９から構成されている。
【００２３】
図２の携帯電話機において、基地局用無線Ｉ／Ｆ手段３１は携帯電話機と基地局との間で無線交信を行うＩ／Ｆである。また、ＬＡＮ用無線Ｉ／Ｆ手段３２は、携帯電話機とＬＡＮ用無線基地局との間で無線交信を行うＩ／Ｆである。従来では、基地局用無線Ｉ／Ｆ手段は、専用のプロトコルが使用されていたが、基地局側とそれを利用する通信装置の間にインターネット網やＩＰ網を利用するケースが増えている。さらに、ＬＡＮ用のプロトコルはもともとＩＰによって、通信が行われていることから、基地局用無線Ｉ／Ｆ手段をＩＰ化することにより、部品の共通化が図れ、コストダウンが見込める。そこで本実施例のように、基地局用無線Ｉ／Ｆ手段３１とＬＡＮ用無線Ｉ／Ｆ手段３２では、ＩＰを使用する。
【００２４】
ＩＰ手段３３は、音声に使用するＶＯＩＰ手段と、データ通信に使用するデータ用ＩＰ手段の２種類がある。
【００２５】
音声に使用するＶＯＩＰ手段は通話回路から送られてきたアナログの音声信号をデジタルデータに変換し、さらに必要であれば符号化圧縮する。次に、音声信号データを送信用のＩＰパケットに埋め込み、順次、基地局用無線Ｉ／Ｆ手段３１又はＬＡＮ用無線Ｉ／Ｆ手段３２に送り出す。また基地局用無線Ｉ／Ｆ手段３１又はＬＡＮ用無線Ｉ／Ｆ手段３２から入力される受信用のＩＰパケットから音声信号データを取り出し、必要であれば復号伸張し、さらにデジタルの音声信号データをアナログの音声信号に変換し、通話回路に送出する。
【００２６】
データ通信に使用するデータ用ＩＰ手段の場合は、ＶＯＩＰ手段の通話回路の代わりに、例えばメモリ手段と入出力を行ってもよいし、専用のデータ処理手段を備えてもよい。また、ＩＰ手段３３は呼制御を行うための制御用ＩＰパケットを組立て、順次、基地局用無線Ｉ／Ｆ手段３１又はＬＡＮ用無線Ｉ／Ｆ手段３２に送り出す。さらに、基地局用無線Ｉ／Ｆ手段３１又はＬＡＮ用無線Ｉ／Ｆ手段３３から入力される受信した制御用ＩＰパケットを、解析するために分解する。このような制御用ＩＰパケットの送出、受信はＩＰ手段３３とは独立した別の手段で行うようにしてもよい。ＩＰ手段３３の動作制御はＣＰＵ３７で行ってもよいし、専用のＬＳＩを使用してもよい。
【００２７】
通話回路３４１、マイク３４２、スピーカ３４３、ＧＰＳ手段３５、操作入力・表示部３６、ＣＰＵ３７、ＲＯＭ３８及びＲＡＭ３９は、図１に準じて理解されるので、説明を省略する。
（一般のＩＰ電話機のブロック図）
図３は一般のＩＰ電話機のブロック図である。図３の携帯電話機は、ＩＰ手段４１、回線接続Ｉ／Ｆ手段４２、ＩＣタグ手段４４、通話回路４３１、マイク４３２、スピーカ４３３、ＧＰＳ手段４５、操作入力・表示部４６、ＣＰＵ４７、ＲＯＭ４８、ＲＡＭ４９から構成されている。
（ＩＰ）
図４、図５に携帯電話で使用する通信プロトコルの一実施例を示す。まず、図４を用いて、発呼側端末と基地局間における発信接続と切断シーケンスについて説明する。発呼側端末はオフフック及びダイアルの後に、基地局へ呼設定信号（ＳＥＴＵＰ）、発信無線状態報告信号を送信し（Ｓ１）、基地局側から呼設定受付信号（ＣＡＬＬ  ＰＲＯＣ）を受信する（Ｓ２）。基地局は認証手順（Ｓ３）を行った後、無線チャネル指定信号を送信する（Ｓ４）。発呼側端末は指定されたチャネルを捕捉し、無線回線の設定を行う。次に基地局から呼出信号（ＡＬＥＲＴ）を受信し（Ｓ５）、呼出音（ＲＢＴ）を受話器に送出する。着信側の通信端末装置の応答があると、基地局から発呼側端末へ応答信号（ＣＯＮＮ）が送信され（Ｓ６）、ここから課金が開始されるとともに、通話が始まる（Ｓ７）。通話が終了すると、発呼側端末から切断信号（ＤＩＳＣ）が基地局へ送信される（Ｓ８）。基地局は解放信号（ＲＥＬ）を発信側の通信端末装置へ送信し（Ｓ９）、ここで課金が終了する。発呼側端末は基地局へ解放完了信号（ＲＥＬ  ＣＯＭＰ）を送信し（Ｓ１０）、基地局から無線チャネル切断信号を受信する（Ｓ１１）。最後に、発呼側端末は、無線チャネル切断確認信号を送信して（Ｓ１２）、通信に使用した無線チャネルを開放し、無線回線の切断を行う。
【００２８】
次に、図５を用いて、着呼側端末と基地局間における発信接続と切断シーケンスについて説明する。着呼側端末は、基地局からの呼出信号を受信すると（Ｓ２１）、着信無線状態報告信号を基地局へ送信する（Ｓ２２）。基地局では、着信無線状態報告信号受信して、認証手順を行う（Ｓ２３）。基地局は認証を行った後、無線チャネル指定信号を着信側の通信端末装置へ送信し、無線回線の設定を行う（Ｓ２４）。無線回線の設定後、基地局から着呼側端末へ、呼設定信号（ＳＥＴＵＰ）が送信され（Ｓ２５）、着呼側端末は着信音（ＲＧＴ）を生成した後、基地局へ呼出信号（ＡＬＥＲＴ）を送信する（Ｓ２６）。着呼側端末のオフフックにより応答信号（ＣＯＮＮ）が基地局へ送信され（Ｓ２７）、通信（通話）が開始され（Ｓ２９）、課金が始まる。切断シーケンスは、図４における発呼側からの切断とほぼ同じなので、説明を省略する。
【００２９】
図６（Ａ）及び（Ｂ）に携帯電話機のデータ通信のプロトコルの一実施例を示す。まず、端末側がサーバ手段からデータを取得する場合に使用するＰｕｌｌ型シーケンスについて図６（Ａ）を用いて説明する。
【００３０】
最初に端末側は基地局に対して通信登録要求信号を送出する（Ｓ４１）。基地局側は認証を要求するために通信認証要求信号を端末側へ送信する（Ｓ４２）。端末側は、通信認証応答信号を基地局へ送信し（Ｓ４３）、基地局側は認証が成立すれば、通信登録応答信号を端末側へ送信する（Ｓ４４）。端末側は、回線接続を要求するために、仮想回線接続要求信号を基地局側へ送信し（Ｓ４５）、基地局は、仮想回線接続応答信号を端末側へ送信することにより、通信回線が仮想的に確保される（Ｓ４６）。次に、端末側はＨＴＴＰプロトコルを使用して、データを要求するＧｅｔ信号を基地局側へ送信する（Ｓ４７）。基地局側は、その応答信号として、Ａｃｋ信号を端末側へ送信する（Ｓ４８）。基地局は要求されたデータを含むＲｅｓｐｏｎｓｅ信号を端末側へ送信する（Ｓ４９）。端末側はＲｅｓｐｏｎｓｅ信号の応答信号としてＡｃｋ信号を基地局側へ送信する（Ｓ５０）。以下、必要なだけデータ取得が行われる。
【００３１】
次に、図６（Ｂ）を用いて、基地局側から通信端末装置へ着信通知して情報を送信（メール受信など）するＰｕｓｈ型シーケンスについて説明する。
【００３２】
まず、基地局から端末側へ呼び出し信号を送信する（Ｓ５１）。次に、端末側は基地局に対して通信登録要求信号を送出する（Ｓ５２）。基地局側は認証を要求するために通信認証要求信号を端末側へ送信する（Ｓ５３）。端末側は、通信認証応答信号を基地局へ送信し（Ｓ５４）、基地局側は認証が成立すれば、通信登録応答信号を端末側へ送信する（Ｓ５５）。基地局は、回線接続を要求するために、仮想回線接続要求信号を端末側へ送信し（Ｓ５６）、端末側は、仮想回線接続応答信号を基地局側へ送信することにより、通信回線が仮想的に確保される（Ｓ５７）。基地局は着信通知信号を端末側へ送信し（Ｓ５８）、端末側はその応答として、Ａｃｋ信号を基地局側へ送信する（Ｓ５９）。端末側はデータを要求するために、Ｇｅｔ信号を基地局側へ送信する（Ｓ６０）。基地局側はその応答信号として、Ａｃｋ信号を端末側へ送信する（Ｓ６１）。基地局は要求されたデータを含むＲｅｓｐｏｎｓｅ信号を端末側へ送信する（Ｓ６２）。端末側はＲｅｓｐｏｎｓｅ信号の応答信号としてＡｃｋ信号を基地局側へ送信する（Ｓ６３）。以下必要なだけデータ取得が行われる。
【００３３】
なお、前述したプロトコルシーケンス中において、通信装置又は相手装置の端末識別情報（電話番号、端末番号、ＩＤ番号、機番、移動機番号、メールアドレス、ＵＲＬ、ＵＲＩ等）やサービス識別情報（電話番号、メールアドレス、ＵＲＬ、通話、電子メール、インターネットアクセス、データダウンロード等）を含ませて、情報の授受を行うことができる。さらに、通信装置又は相手装置の端末識別情報やサービス識別情報を、それぞれについて複数持ち（通信装置の記憶手段に記憶する）、それらを選択して使用することにより、特定のサービスを特定の端末識別情報で使用することや、選択した端末識別情報に課金するなどの多彩なサービスを享受することができる。
（ＳＩＰ）
図７に標準の呼制御プロトコルのうちの１つであるＳＩＰ（Session Initiation Protocol）の通信モデルのプロトコルを示す。まず、発呼側から「ＩＮＶＩＴＥ」というリクエストメッセージを送出する（Ｓ７１）。「ＩＮＶＩＴＥ」はセッションの起動信号であり、それには発呼側が受信可能なセッションの属性がＳＤＰ（Session  Description  Protocol）で示されている。具体的には、発呼側の受信条件（コーデック、ポート番号等）と送信条件を提示するものである。着呼側は「ＩＮＶＩＴＥ」を受信し、呼び出し状態になったことを通知するために「１８０  ＲＩＮＧＩＮＧ」を発呼側へ送信する（Ｓ７２）。この「１８０  ＲＩＮＧＩＮＧ」で着呼側の受信条件（コーデック、ポート番号等）と送信条件を提示してもよいが、通常は次の「２００  ＯＫ」で提示する。次に着呼側が通話可能状態になったことを通知するために「２００  ＯＫ」を発呼側へ送信する（Ｓ７３）。それには着呼側が受信可能なセッションの属性がＳＤＰで示されている。この「２００  ＯＫ」で着呼側の受信条件（コーデック、ポート番号等）と送信条件を提示する。次に、発呼側が「ＡＣＫ」を着呼側へ送信し（Ｓ７４）、これにより通信に利用可能な属性がネゴシエーションされる。本発明では便宜上ここまでを接続フェーズと定義している。次に、メディア（音声、画像、動画等）の転送が開始される（Ｓ７５）。本発明ではこのメディアの転送期間中を便宜上、データ送受信フェーズと定義している。通信を終了するときには止める側が「ＢＹＥ」信号を送信する（Ｓ７６）ことにより通信終了を要求し、それを受信した側は、その応答である「２００  ＯＫ」信号を送信して通信を終了する（Ｓ７７）。本発明ではこのフェーズを便宜上、切断フェーズと定義している。
（実施例）
ここからの本発明の実施例の説明には電子機器としては携帯電話機（本体）を、通信Ｉ／ＦとしてＷ-ＵＳＢ(ワイヤレスＵＳＢ)を例にして説明するが、本発明はその他の電子機器や通信Ｉ／Ｆに応用できるのは言うまでもない。
【００３４】
ＵＳＢには例えばＰＣ（パーソナルコンピュータ）が備えているホストＩ／Ｆと、その周辺機器が備えているデバイスＩ／Ｆがある。これから実施例で説明するホストＩ／ＦとデバイスＩ／Ｆとはほぼ同じものであり、簡単に説明するとホストＩ／Ｆは通信の主導権を握る側が持つＩ／Ｆであり、デバイスＩ／ＦはホストＩ／Ｆ側の命令によって動作するものであり、従来のコマンド（命令）／レスポンス（応答）型の通信と似ている。
【００３５】
本発明の一実施例である携帯電話機の構成例を図８に示す。図８は、携帯電話機５０と外部操作部（データ入力手段）５９から構成されている。ここでは、周辺装置として、外部操作部（外付けの操作部）を例に説明する。
【００３６】
携帯電話機５０は、表示装置５１、本体操作部（データ入力手段）５２、入力切替手段５３、ＦＥＰ（日本語変換機能）５４、アプリケーション５５、ホストＩ／Ｆ５６、検出手段５７及びメモリ５８から構成されている。
【００３７】
また、外部操作部５９は、デバイスＩ／Ｆ５９１を有し、携帯電話機５０のホストＩ／Ｆ５６とＷ−ＵＳＢ（Universal Serial Bus）インターフェースで接続されている。
【００３８】
表示装置５１は、操作部から入力したキー情報やＦＥＰが変換した文字情報を表示する。本体操作部（データ入力手段）５２は、文字を入力する本体に設けられた操作部で、例えば、テンキーである。入力切替手段５３は、本体操作部（データ入力手段）５２からのデータと、外部操作部５９からのデータとを切り換えて、出力する。ＦＥＰ５４は、入力切替手段から伝達されたキー情報を文字（特に漢字やひらがな）へ変換する。アプリケーション５５は、携帯電話機５０が有するアプリケーションで、メール用ソフト、メーラー、メール用エディタ、ワープロソフト、エディタ等である。ホストＩ／Ｆ５６は、外部操作部５９のデバイスＩ／Ｆ５９１を制御して、携帯電話機５０と外部操作部５９間の通信を行う。検出手段５７は、ホストＩ／Ｆからの信号に基づいて、外部操作部５９が、携帯電話機５０に接続されているか否かを検出する。検出手段５７が、外部操作部５９が携帯電話機５０に接続されていることを検出した場合は、入力切替手段５３は、外部操作部５９からのデータを出力するように切り換え、検出手段５７が、外部操作部５９が携帯電話機５０に接続されていないことを検出した場合は、入力切替手段５３は、本体操作部５２からのデータを出力するように切り換える。
【００３９】
なお、入力切替手段５３は、ＦＥＰ５４に含まれていても良い。また、入力切替手段５３は、本体操作部５２からの入力と外部操作部５９からの入力を切替えてもよいし、又は両方の入力をＦＥＰ５４にそのまま伝達してもよい。
【００４０】
外部操作部５９は、外付けの操作部で、フルキーボードであることが好ましい。
【００４１】
図９に本発明の一実施例のソフトウェアスタックを示す。
【００４２】
最下層には本体操作部６３、外部操作部６５、Ｗ−ＵＳＢ６４があり、その上位層には入力切替手段６２、ＦＥＰ６１及びアプリケーション６０がある。本体操作部６３及び外部操作部６５から入力された情報は、次々と上位層へ伝達され、最終的にアプリケーション６０が受け取る。
【００４３】
次に、外部操作部と携帯電話機が接続されていない場合と、外部操作部と携帯電話機が接続されている場合について、その処理フローを説明する。
【００４４】
（１）外部操作部と携帯電話機が接続されていない場合
この場合のメールソフトを起動する場合について、図１５を用いて説明する。まず、携帯電本体で例えばメールソフトを起動する（Ｓ１０１）。文書作成画面で、本体操作部５２のキーを押すことにより文字入力を行う（Ｓ１０２）。通常、本体操作部５２のテンキー（数字キー０〜９、＃キー、＊キーから構成される）からキー入力を行う。たとえば、数字２のキーには「か」の行が割り当てられており、「か」を入力するには1回押し、「こ」を入力するには５回押すことになる。このようにテンキー入力された文字列は、入力切替手段５３を通して（Ｓ１０３）ＦＥＰ５４に入力される（Ｓ１０４）（なお、入力切替手段５３をバイパスするように構成にしてもよい）。ＦＥＰ５４は、入力された文字又は文字列を例えば漢字、ひらがな、カタカナ、英数字、記号、絵文字、定型文等に変換する（Ｓ１０４）。文書作成画面で作成された文書は一旦本体のメモリ５８に保存され（Ｓ１０５）、またその文書は適宜メールソフトによって相手装置に送信される（Ｓ１０６）。
【００４５】
（２）外部操作部と携帯電話機がＵＳＢ接続されている場合
この場合、外部操作部５９のデバイスＩ／Ｆ５９１と、携帯電話機のホストＩ／Ｆ５６とが、Ｗ−ＵＳＢインターフェイスを介して接続される。このように本体側（携帯電話機）にホストＩ／Ｆを備えると、デバイスＩ／Ｆを備えた他のいろいろな機能を持つ周辺機器を接続することにより、機能拡張を簡単に行うことができる。
【００４６】
この場合の接続処理及び切断処理を図１０及び図１１を用いて説明する。まず、携帯電話機５０と外部操作部５９をＷ-ＵＳＢインターフェイスを介して接続する。接続する一実施例としては、本体側の接続用のキーと外部操作部側の接続用のキーを同時押しすることによってお互いに通信を開始（接続処理の開始：Ｓ８１）することによりＷ-ＵＳＢによる接続作業（認証作業）を行う（Ｓ８２）。接続用のキーは専用のキーを新たに設けてもよいし、既存のキーのうち複数のキーを同時押しすることにより構成してもよい。認証が成立することにより接続が開始されるが、この認証時の情報（相手装置の情報、ステータス情報、通信記録等）を自装置のメモリ５８に記憶する。接続が成功すると（Ｓ８３）、検出手段５７が外部操作部５９が接続されたことを検出するので（Ｓ８４）、入力切替手段５３は、本体操作部５２からの入力を外部操作部５９からの入力に切替えて（Ｓ８５）、Ｗ-ＵＳＢインターフェイスを介して受信した外部操作部のキー入力をＦＥＰ５４に伝達する。この切替は、Ｗ−ＵＳＢによって外部操作部５９が接続された場合に、検出手段５７によりその接続を検出して自動的に行ってもよいし、検出手段５７を設けずに、ユーザによる操作によって切替えてもよい。また、操作部からの入力の切替を行わず、両方の操作部からの入力をＦＥＰ５４に伝達するような構成にしてもよい。また、ＦＥＰ５４を２種類（本体キーボード用と外部キーボード用）を持ち、適宜切替えて使用してもよい。次に、アプリケーションを起動（Ｓ８６）して文書入力を行う。Ｗ-ＵＳＢで接続している場合や、入力情報を受信しているときでも、本体でのメールの受信又は電話の着呼に対する応答等の他の動作を並列に行うことができる。
【００４７】
また、Ｗ-ＵＳＢ接続を切断するときは、本体側又は外部操作部側の切断キーを押すことにより、通信切断プロトコルシーケンスを実行後に切断される（Ｓ９１）。このとき、検出手段５７が外部操作部５９が切断されたことを検出するので（Ｓ９２）、入力切替部５３は、本体操作部５２の入力に切り替える（Ｓ９２）。又は、検出手段５７を設けずに、ユーザの操作による切替設定によって切替えてもよい。また、外部操作部５９からの最後の入力から所定時間経過しても次の入力がなければ、Ｗ-ＵＳＢの接続を切断するようにしたり、又は、本体側又は外部操作部側のＷ-ＵＳＢに関係する部分や本体側の表示装置５１又はバックライト部の電源供給を停止するような省エネモードに移行してもよい。この時、再度外部操作部５９からの入力や又は省エネから復帰を指示する操作がなされた場合に省エネモードを解除するようにしてもよい。
【００４８】
また、外部操作部５９として、パーソナルコンピュータで使用されているキーボード（特にフルキーボード）を使用すると、本体操作部５２を使用したキー入力に比べて格段にキー入力が簡単又は楽（キー入力の回数が少なくて済む）になる。
（携帯端末装置）
本発明の別の一実施例として、例えば折り畳み式携帯電話の見開き角度の固定の方法について、図１２を用いて説明する。現在の通常の折り畳み式携帯電話は、図１２（Ａ）に示す構成であり、手に持って通話するか又は、手にもってメール又はインターネットを行うために、閉じた状態と、図１２（Ｂ）に示すように、開いた状態（操作し易いように１８０度よりは小さい角度）の２種類の状態があれば十分であり、その中間の角度で使うことはなかった。しかしながら、本発明では、携帯電話にキーボードを接続して使用するので、携帯電話を開いたままテーブル等の上に置いて使用することが想定される。その場合、１８０度に近い角度で開いて置いた場合に、角度が開き過ぎて表示画面を見えにくいと欠点がある。本発明の一実施例はそのような課題を解決するものである。
【００４９】
そこで、図１２（Ｃ）に示すように、９０度から１８０度の間にいくつかの角度（Ｐ２、Ｐ３等）で固定できるように、回転部（可動部）に、ロック機構を設けたものである。このロック機構は回転軸の回転方向側の所定の角度（固定したい角度）に相当する部分に、溝又は突起を設けることにより固定する。また、複数の角度にロック機構を設けるようにしてもよいが、その他に回転させる方向にある程度の大きさの力を加えないと回転できないようにして無段階に固定できるようにしてもよい。外部操作部５９から入力する場面に限らず、例えば、携帯内蔵のＴＶを見る場合や他の画像の表示を見る場合等に使用することができる。
【００５０】
図１２（Ｂ）のように本体を置くと、外部操作部５９と携帯電話機５０とがぶつかり、レイアウトに制限があるという問題がある。
【００５１】
この場合は、図１３に示すように、１８０度よりもさらに大きく開くような機構を設けることにより、本体の操作部８４を下に向けて、テーブル等の上に置くようにしてもよい。こうすることにより外部操作部８１を本体の表示画面の近くに置くことができるため、ユーザのお好みの配置を実現することができる（外部操作部５９のレイアウトの自由度が大きくなる）。この場合、本体操作部５２のキー入力が無視されるようにしてもよい。また、前述したロック機構を設けてもよい。
（周辺装置への電源供給）
周辺装置への電源供給について、図１４を用いて説明する。携帯電話の本体に電源を持たない周辺装置を接続した場合、周辺装置へ本体から電気を供給する必要がある場合があるが、電源として電池を使用している携帯電話の場合においては周辺装置に電気を供給すると、自身の電源が早く消耗してしまうという問題が考えられる。
【００５２】
そこで、携帯電話の本体に電源を持たない周辺装置を接続したとき（Ｓ９５）、携帯電話に電源（電気）が供給されている場合（電源アダプタが接続されている場合、Ｓ９６でＹの場合）に、周辺装置に電気（電源）を供給し（Ｓ９７）、携帯電話に電源（電気）が供給されていない場合（電源アダプタが接続されていない場合、Ｓ９６でＮの場合）に、周辺装置に電気（電源）を供給しない（Ｓ９８）。
【００５３】
この処理のために、携帯電話機は、電源アダプタが接続されているかどうかを検出する電源アダプタ検出手段と、周辺装置への電源供給手段を有し、電源アダプタ検出手段が、電源アダプタの接続を検出し、図８の検出手段５７が周辺装置の接続を検出したとき、電源供給手段が、周辺装置に電源を供給するようにする。
【００５４】
なお、周辺装置への電源供給は、周辺装置への電源供給手段の電源供給スイッチをオンにすることにより実施することができる。なお、電源の供給は例えばＵＳＢＩ／Ｆで供給することもできるし、他の公知技術を使用してもよい。
（変形例）
また、ここまでは本体側（携帯電話側）にホストＩ／Ｆを備えた場合について説明したが、ホストＩ／ＦとデバイスＩ／Ｆの両方を備えてもよい。その構成としては、物理的に両方のＩ／Ｆを別々に備えてよいし、接続コネクタは１つしか備えていないが、スイッチの切替によってホストＩ／ＦとデバイスＩ／Ｆを切替えるようにしてもよい（接続コネクタを共通で使用する）。また、Ｗ-ＵＳＢ等の無線Ｉ／Ｆを使用している場合には、ホスト用とデバイス用の通信用ソフトウェアを切り替えることによって実現する。このようにホストＩ／ＦとデバイスＩ／Ｆの両方を備えることにより、多くの機能を実現することができる。
【００５５】
上記実施例として携帯電話、ＩＰ電話を挙げたが、通信端末装置としてはその他にＩＣカード、ＩＣタグリーダ装置、移動無線機、無線LANを使用したＩＰ電話、ＩＰ通信端末装置、一般加入者電話機、通信機能付コンピュータ、ＩＰテレビ電話、腕時計、ＰＨＳ、ＰＤＡ等の通信機能を備えた通信端末装置があり、それぞれの通信端末装置が使用できる通信プロトコルを使用して実施可能である。ぞれぞれの通信端末装置の構成は公知であるため、ブロック図による図示は省略するが、本発明の特徴に係る手段は前記実施例と同様に備えているものである。
【００５６】
また、「〜手段」は、専用ハードウェアで構成されているか、又はＣＰＵ、ＲＯＭ、ＲＡＭと若干のハードウェアで構成されているものである。
また今までの実施例及びおのおのの構成は本発明の特徴を備えている限り適宜組み合わせ可能であり、１つの実施例の中で直接言及していない他の実施例及び構成も適用可能である。多数の発明が本明細書に記載されているため、そのすべての組み合わせの説明とその効果を記載することは事実上不可能であるが、その組み合わせの具体的な実施と効果については当業者が想定できるものは、本明細書に記載されているものとみなすことができるのは言うまでもないことである。
【００５７】
また、本発明において複数の要素（構成）を持つ場合には、その要素の数は本実施例に記載している要素の数には限定されるものではない。
また、実施例中に記述した発明はＪＡＶＡ（登録商標）等のようにＣＰＵ又はＯＳに依存しないプログラム言語で作成してもよい。
【００５８】
本発明の実施例は、次の効果を有する。
（１）デバイスＩ／Ｆを備えたデバイス装置に接続して通信を行うホストＩ／Ｆから成る通信手段を備えた携帯端末装置であるので、デバイスＩ／Ｆを備えた周辺装置と接続することにより機能を拡張することができる。
（２）本体操作部（データ入力手段）からのデータと、デバイス装置（周辺装置）からのデータとを切り換えて出力する切替手段を設けたので、本体操作手段から入力された情報と、デバイス装置から受信した情報を切り替えることができるため、本体操作部の機能を拡張することができる。
（３）周辺装置の接続の有無を検出する検出手段を有しているので、本体操作部（データ入力手段）からのデータと、デバイス装置（周辺装置）からのデータとを、自動的に、切り換えて出力することができる。
（４）第１の筐体と、第２筐体とを折りたたみ可能な状態で連結する連結部と、一方の筐体の内面に表示手段を有し、前記連結部は、第１の筐体と、第２筐体とを複数の角度で固定するロック機構を設けたので、携帯電話機を置いて表示部を見る場合に、見易い角度に調整できる。
【図面の簡単な説明】
【００５９】
【図１】ＴＶ受信機付き携帯電話のブロック図である。
【図２】オールＩＰ化された携帯電話のブロック図である。
【図３】ＩＰ電話のブロック図である。
【図４】発信接続と切断シーケンスを説明するための図である。
【図５】着信接続と切断シーケンスを説明するための図である。
【図６Ａ】携帯電話のデータ通信（プル型）を説明するための図である。
【図６Ｂ】携帯電話のデータ通信（プッシュ型）を説明するための図である。
【図７】ＳＩＰの通信シーケンスを説明するための図である。
【図８】携帯電話機の例である。
【図９】ソフトウェアスタックを説明するための図である。
【図１０】接続処理を説明するための図である。
【図１１】切断処理を説明するための図である。
【図１２】ロック機構を説明するための図である。
【図１３】逆折りの形態図を説明するための図である。
【図１４】周辺装置への電源供給を説明するための図である。
【図１５】内部処理を説明するための図である。
【符号の説明】
【００６０】
５１    表示装置
５２    本体操作部  
５３    入力切替手段
５４    ＦＥＰ
５５    アプリケーション
５６    ホストＩ／Ｆ
５７    検出手段
５８    メモリ
５９    周辺装置
５９１    デバイスＩ／Ｆ
【図１】
0004787577.tif 000002
【図２】
0004787577.tif 000003
【図３】
0004787577.tif 000004
【図４】
0004787577.tif 000005
【図５】
0004787577.tif 000006
【図６Ａ】
0004787577.tif 000007
【図６Ｂ】
0004787577.tif 000008
【図７】
0004787577.tif 000009
【図８】
0004787577.tif 000010
【図９】
0004787577.tif 000011
【図１０】
0004787577.tif 000012
【図１１】
0004787577.tif 000013
【図１２】
0004787577.tif 000014
【図１３】
0004787577.tif 000015
【図１４】
0004787577.tif 000016
【図１５】
0004787577.tif 000017